(57)【要約】  浸透濾過反射型の冷温水混合防止装置を備えるタンクであって、タンクケーシング（１）、タンク内チャンバ（２）、接続管（３）及び浸透濾過反射型の冷温水混合防止装置（４ａ）を含み、タンク内チャンバ（２）はタンクケーシング（１）に内蔵され、タンクケーシング（１）には、タンク内チャンバ（２）とそれぞれ連通するタンク給水管（５）及びタンク排水管（６）が取り付けられ、接続管（３）はタンク給水管（５）内に取り付けられ、浸透濾過反射型の冷温水混合防止装置（４ａ）は、接続管（３）の一端に接続されるとともに、タンク内チャンバ（２）内部の底部に位置する。温水使用時には、冷水が接続管（３）から流入し、浸透濾過反射型の冷温水混合防止装置（４ａ）による反射及び浸透濾過の後に静かに流出する。よって、水内部が乱れることなく、緩やかにタンク内チャンバ（２）内部の底部から上方へと平行移動するため、冷水と温水の混合が効果的に阻止される。結果、冷水が温水に向かう過程において、タンク内チャンバ（２）内の冷水と温水の境界が終始明確となり、タンクの温水出力が向上する。
2017525930.tif 000002
【特許請求の範囲】
【請求項１】
タンクケーシングと、タンクケーシングに内蔵されるタンク内チャンバを含み、前記タンクケーシングには、前記タンク内チャンバとそれぞれ連通するタンク給水管及びタンク排水管が取り付けられている浸透濾過反射型の冷温水混合防止装置を備えるタンクであって、
接続管及び浸透濾過反射型の冷温水混合防止装置を更に含み、前記接続管は前記タンク給水管内に取り付けられ、前記浸透濾過反射型の冷温水混合防止装置は、前記接続管の一端に接続されるとともに、前記タンク内チャンバ内部の底部に位置することを特徴とするタンク。
【請求項２】
前記浸透濾過反射型の冷温水混合防止装置は、混合防止装置配管、装着部、リフレクタ、フィルタカバー及び浸透濾過物を含み、前記混合防止装置配管の一端は前記接続管に接続され、前記混合防止装置配管の他端は前記リフレクタに密封されるよう接続され、前記リフレクタは下向きに設けられ、前記装着部は前記混合防止装置配管の外壁に取り付けられ、前記装着部の開口は上向きに設けられ、前記フィルタカバーと前記浸透濾過物は、それぞれ前記装着部の開口部に取り付けられ、前記フィルタカバーは前記浸透濾過物の上部と底部に位置し、前記浸透濾過物の底部に位置するフィルタカバーと前記装着部の間に濾過空間が形成され、前記混合防止装置配管の管壁には、前記混合防止装置配管の内部と当該濾過空間を連通する分流孔が幾つか開設されていることを特徴とする請求項１記載の浸透濾過反射型の冷温水混合防止装置を備えるタンク。
【請求項３】
前記リフレクタの断面は、放物線形状であることを特徴とする請求項２記載の浸透濾過反射型の冷温水混合防止装置を備えるタンク。
【請求項４】
前記浸透濾過反射型の冷温水混合防止装置は、混合防止装置配管、リフレクタ、フィルタカバー及び浸透濾過物を含み、前記混合防止装置配管の一端は前記接続管に接続され、前記フィルタカバーは前記混合防止装置配管の外壁に取り付けられ、前記リフレクタは下向きに前記フィルタカバーに取り付けられ、前記浸透濾過物は、前記フィルタカバーの上部に取り付けられるとともに前記リフレクタ内に位置し、前記浸透濾過物の上部と前記リフレクタの間には濾過空間が形成され、前記混合防止装置配管の他端は密閉されており、且つ、その管壁には、前記混合防止装置配管の内部と当該濾過空間を連通する分流孔が幾つか開設されていることを特徴とする請求項１記載の浸透濾過反射型の冷温水混合防止装置を備えるタンク。
【請求項５】
前記浸透濾過反射型の冷温水混合防止装置は、混合防止装置配管、リフレクタ、フィルタカバー、浸透濾過物及びフィルタを含み、前記混合防止装置配管の一端は前記接続管に接続され、前記フィルタカバーは前記混合防止装置配管の外壁に取り付けられ、前記リフレクタは下向きに前記フィルタカバーに取り付けられ、前記浸透濾過物は、前記フィルタカバーの上部に取り付けられるとともに前記リフレクタ内に位置し、前記浸透濾過物の上部と前記リフレクタの間には濾過空間が形成され、前記フィルタは前記混合防止装置配管の他端の配管口に取り付けられ、前記混合防止装置配管の他端は前記フィルタを介して当該濾過空間と連通することを特徴とする請求項１記載の浸透濾過反射型の冷温水混合防止装置を備えるタンク。
【請求項６】
前記浸透濾過物は、粒子充填物、繊維充填物、メッシュフィルタ又は濾過膜を含むことを特徴とする請求項２〜５のいずれか１項記載の浸透濾過反射型の冷温水混合防止装置を備えるタンク。
【請求項７】
前記接続管と前記タンク給水管の間には、シールリングが取り付けられていることを特徴とする請求項１〜５のいずれか１項記載の浸透濾過反射型の冷温水混合防止装置を備えるタンク。
【請求項８】
前記タンクケーシングと前記タンク内チャンバの間には、断熱材が充填されていることを特徴とする請求項１〜５のいずれか１項記載の浸透濾過反射型の冷温水混合防止装置を備えるタンク。
【請求項９】
前記タンク内チャンバは、縦型又は横型であることを特徴とする請求項１〜５のいずれか１項記載の浸透濾過反射型の冷温水混合防止装置を備えるタンク。
【発明の詳細な説明】
【技術分野】
【０００１】
本発明はタンクに関し、より具体的には、太陽熱温水器、ヒートポンプ温水器、電気温水器、ガス温水器及び排熱回収システムに用いられる浸透濾過反射型の冷温水混合防止装置を備えるタンクに関する。
【背景技術】
【０００２】
太陽熱温水器、ヒートポンプ温水器、電気温水器、ガス温水器及び排熱回収システムに用いられる従来のタンクは、使用時に冷水がタンクの給水管からタンク内チャンバに流入すると同時に、温水がタンクの排水管から排出されて使用者の利用に供される。しかし、冷水と温水がタンク内チャンバで直接撹拌・混合されるため、タンクの水温は徐々に低下してしまう。そのため、従来のタンクには次のような瑕疵が存在する。
１．冷水と温水が混ざり合う。
２．タンクの温水出力が低下する。よって、タンクの温水出力を如何に向上させるかは、一貫して当該分野における技術的難題となっている。
３．従来のタンクでは、冷水がタンク内チャンバに流入する際の流速が速いことから、冷水がそのままタンク内チャンバの温水領域に突入して冷水と温水が互いに混合してしまう。これにより、温水領域の温水温度が低下し、温水を使用できない事態ともなり得ることから、使用者のニーズをより良好に満たすことができない。
【発明の概要】
【発明が解決しようとする課題】
【０００３】
本発明は、従来技術における上記の瑕疵を解消するために、冷水と温水の混合を効果的に回避し、タンクの温水出力を向上させるとともに、使用者のニーズをより良好に満たすことのできる浸透濾過反射型の冷温水混合防止装置を備えるタンクを提供することを目的とする。
【課題を解決するための手段】
【０００４】
上記の目的を実現するために、本発明は以下の技術方案を提供する。
即ち、タンクケーシングと、タンクケーシングに内蔵されるタンク内チャンバを含み、前記タンクケーシングには、前記タンク内チャンバとそれぞれ連通するタンク給水管及びタンク排水管が取り付けられている浸透濾過反射型の冷温水混合防止装置を備えるタンクであって、接続管及び浸透濾過反射型の冷温水混合防止装置を更に含み、前記接続管は前記タンク給水管内に取り付けられ、前記浸透濾過反射型の冷温水混合防止装置は、前記接続管の一端に接続されるとともに、前記タンク内チャンバ内部の底部に位置する。
【０００５】
好ましくは、前記タンクの技術方案において、前記浸透濾過反射型の冷温水混合防止装置は、混合防止装置配管、装着部、リフレクタ、フィルタカバー及び浸透濾過物を含み、前記混合防止装置配管の一端は前記接続管に接続され、前記混合防止装置配管の他端は前記リフレクタに密封されるよう接続され、前記リフレクタは下向きに設けられ、前記装着部は前記混合防止装置配管の外壁に取り付けられ、前記装着部の開口は上向きに設けられ、前記フィルタカバーと前記浸透濾過物は、それぞれ前記装着部の開口部に取り付けられ、前記フィルタカバーは前記浸透濾過物の上部と底部に位置し、前記浸透濾過物の底部に位置するフィルタカバーと前記装着部の間に濾過空間が形成され、前記混合防止装置配管の管壁には、前記混合防止装置配管の内部と当該濾過空間を連通する分流孔が幾つか開設されている。
【０００６】
好ましくは、前記タンクの技術方案において、前記リフレクタの断面は放物線形状である。
【０００７】
好ましくは、前記タンクの技術方案において、前記浸透濾過反射型の冷温水混合防止装置は、混合防止装置配管、リフレクタ、フィルタカバー及び浸透濾過物を含み、前記混合防止装置配管の一端は前記接続管に接続され、前記フィルタカバーは前記混合防止装置配管の外壁に取り付けられ、前記リフレクタは下向きに前記フィルタカバーに取り付けられ、前記浸透濾過物は、前記フィルタカバーの上部に取り付けられるとともに前記リフレクタ内に位置し、前記浸透濾過物の上部と前記リフレクタの間には濾過空間が形成され、前記混合防止装置配管の他端は密閉されており、且つ、その管壁には、前記混合防止装置配管の内部と当該濾過空間を連通する分流孔が幾つか開設されている。
【０００８】
好ましくは、前記タンクの技術方案において、前記浸透濾過反射型の冷温水混合防止装置は、混合防止装置配管、リフレクタ、フィルタカバー、浸透濾過物及びフィルタを含み、前記混合防止装置配管の一端は前記接続管に接続され、前記フィルタカバーは前記混合防止装置配管の外壁に取り付けられ、前記リフレクタは下向きに前記フィルタカバーに取り付けられ、前記浸透濾過物は、前記フィルタカバーの上部に取り付けられるとともに前記リフレクタ内に位置し、前記浸透濾過物の上部と前記リフレクタの間には濾過空間が形成され、前記フィルタは前記混合防止装置配管の他端の配管口に取り付けられ、前記混合防止装置配管の他端は前記フィルタを介して当該濾過空間と連通する。
【発明の効果】
【０００９】
従来技術と比較して、本発明には次のような有益な効果がある。
即ち、本発明のタンク内チャンバにおける内部の底部には、タンク給水管に接続される浸透濾過反射型の冷温水混合防止装置が取り付けられている。よって、温水使用時には、冷水が接続管から流入し、浸透濾過反射型の冷温水混合防止装置による反射及び浸透濾過の後に静かに流出する。よって、水内部が乱れることなく、緩やかにタンク内チャンバ内部の底部から上方へと平行移動するため、冷水と温水の混合が効果的に阻止される。結果、冷水が温水に向かう過程において、タンク内チャンバ内の冷水と温水の境界が終始明確となり、タンクの温水出力が向上する。従って、使用者のニーズをより良好に満たすことができる。
【図面の簡単な説明】
【００１０】
【図１】図１は、本発明の実施例１にかかる浸透濾過反射型の冷温水混合防止装置を備えるタンクの構造を示す図である。
【図２】図２は、図１のＡ部分の拡大図である。
【図３】図３は、本発明の実施例２にかかる浸透濾過反射型の冷温水混合防止装置を備えるタンクの構造を示す図である。
【図４】図４は、図３のＢ部分の拡大図である。
【図５】図５は、本発明の実施例３にかかる浸透濾過反射型の冷温水混合防止装置を備えるタンクの構造を示す図である。
【図６】図６は、図５のＣ部分の拡大図である。
【発明を実施するための形態】
【００１１】
以下に、図面と実施例を組み合わせて、本発明にかかる浸透濾過反射型の冷温水混合防止装置を備えるタンクについて更に説明する。
【００１２】
なお、下記は本発明にかかる浸透濾過反射型の冷温水混合防止装置を備えるタンクの最適な実例であって、これにより本発明の保護範囲が限定されるわけではない。
【実施例１】
【００１３】
図１を参照すると、本図は浸透濾過反射型の冷温水混合防止装置を備えるタンクを示す。当該タンクは、タンクケーシング１、タンク内チャンバ２、接続管３及び浸透濾過反射型の冷温水混合防止装置４ａを含む。タンク内チャンバ２はタンクケーシング１に内蔵されている。タンク内チャンバ２は縦型であり、タンクケーシング１とタンク内チャンバ２の間には断熱材が充填されている。タンクケーシング１の底部には、タンク内チャンバ２とそれぞれ連通するタンク給水管５とタンク排水管６が取り付けられている。タンク排水管６はタンク内チャンバ２内部の上部まで延伸している。浸透濾過反射型の冷温水混合防止装置４ａは接続管３の一端に接続されるとともに、タンク内チャンバ２内部の底部に位置する。
【００１４】
図２に示すように、具体的には、浸透濾過反射型の冷温水混合防止装置４ａは、混合防止装置配管４１ａ、リフレクタ４２ａ、フィルタカバー４３ａ、浸透濾過物４４ａ及び装着部４５を含む。混合防止装置配管４１ａの一端は接続管３に接続され、混合防止装置配管４１ａの他端はリフレクタ４２ａに密封されるよう接続されている。リフレクタ４２ａは下向きに設けられる。装着部４５は混合防止装置配管４１ａの外壁に取り付けられている。装着部４５の開口は上向きに設けられる。フィルタカバー４３ａと浸透濾過物４４ａは、それぞれ装着部４５の開口部に取り付けられる。フィルタカバー４３ａは浸透濾過物４４ａの上部と底部に位置し、浸透濾過物４４ａの底部に位置するフィルタカバー４３ａと装着部４５の間に濾過空間４６ａが形成される。混合防止装置配管４１ａの管壁には、混合防止装置配管４１ａの内部と当該濾過空間４６ａを連通する分流孔４７ａが幾つか開設されている。分流孔４７ａは均一に分布している。浸透濾過物４４ａは、粒子充填物、繊維充填物、メッシュフィルタ、濾過膜又は浸透機能を備えるその他材料からなる。
【００１５】
本実施例において、リフレクタ４２ａの断面は放物線形状とされる。なお、当該リフレクタ４２ａは、例えば円弧形状、“笠”形状といったその他の形状としてもよいことはいうまでもない。リフレクタ４２ａは、浸透濾過物４４ａを通過した冷水を下方に反射させられればよく、本実施例に限定されない。
【００１６】
また、接続管３とタンク給水管５とを密着させて漏水を防ぐために、接続管３とタンク給水管５の間にはシールリング７が取り付けられている。
【００１７】
本実施例１にかかる浸透濾過反射型の冷温水混合防止装置４ａの動作原理は次の通りである。
【００１８】
図２に示すように、冷水は矢印で示す方向に流動する。冷水は、まず接続管３を通って浸透濾過反射型の冷温水混合防止装置４ａにおける混合防止装置配管４１ａに進入する。続いて、混合防止装置配管４１ａの管壁上にある分流孔４７ａから濾過空間４６ａに進入した後、浸透濾過物４４ａ底部に位置するフィルタカバー４３ａ、浸透濾過物４４ａ及び浸透濾過物４４ａ上部に位置するフィルタカバー４３ａを順に通過する。このとき、水流は均一に緩やかとなる。最後に、リフレクタ４２ａで反射されることで、冷水は均一に緩やかな状態でタンク内チャンバ２内部の底部に流れ落ちる。これによれば、水内部が乱されることなく、緩やかにタンク内チャンバ２内部の底部から上方へと平行移動するため、冷水と温水の混合が効果的に阻止される。よって、冷水が温水に向かう過程において、タンク内チャンバ２内の冷水と温水の境界が明確となり、結果としてタンクの温水出力が向上し、使用者のニーズをより良好に満たすことが可能となる。
【実施例２】
【００１９】
図３を参照すると、本図はその他の浸透濾過反射型の冷温水混合防止装置を備えるタンクを示す。当該タンクは、タンクケーシング１、タンク内チャンバ２、接続管３及び浸透濾過反射型の冷温水混合防止装置４ｂを含む。ここで、本実施例２にかかる浸透濾過反射型の冷温水混合防止装置を備えるタンクは、浸透濾過反射型の冷温水混合防止装置において実施例１と異なるが、その他の構造は同様のため、同様の部分については繰り返し述べない。以下に、実施例１との違いについて詳述する。
【００２０】
図４に示すように、具体的には、浸透濾過反射型の冷温水混合防止装置４ｂは、混合防止装置配管４１ｂ、リフレクタ４２ｂ、フィルタカバー４３ｂ及び浸透濾過物４４ｂを含む。混合防止装置配管４１ｂの一端は接続管３に接続されており、フィルタカバー４３ｂは混合防止装置配管４１ｂの外壁に取り付けられている。リフレクタ４２ｂは下向きにフィルタカバー４３ｂに取り付けられている。浸透濾過物４４ｂはフィルタカバー４３ｂの上部に取り付けられるとともに、リフレクタ４２ｂ内に位置する。浸透濾過物４４ｂの上部とリフレクタ４２ｂの間には濾過空間４６ｂが形成されている。混合防止装置配管４１ｂの他端は密閉されており、且つ、混合防止装置配管４１ｂの他端の管壁には、混合防止装置配管４１ｂの内部と当該濾過空間４６ｂを連通する分流孔４７ｂが幾つか開設されている。本実施例において、リフレクタ４２ｂはボトルキャップ形状とされる。
【００２１】
本実施例２にかかる浸透濾過反射型の冷温水混合防止装置４ｂの動作原理は次の通りである。
【００２２】
図４に示すように、冷水は矢印で示す方向に流動する。冷水は、まず接続管３を通って浸透濾過反射型の冷温水混合防止装置４ｂにおける混合防止装置配管４１ｂに進入する。続いて、混合防止装置配管４１ｂの他端の管壁にある分流孔４７ｂからリフレクタ４２ｂ内の濾過空間４６ｂに進入した後、リフレクタ４２ｂに反射されて、浸透濾過物４４ｂと浸透濾過物４４ｂの底部に位置するフィルタカバー４３ｂを順に通過し、タンク内チャンバ２内部の底部に流れ落ちる。このとき、水の流れは均一に緩やかとなる。これによれば、水内部が乱されることなく、緩やかにタンク内チャンバ２内部の底部から上方へと平行移動するため、冷水と温水の混合が効果的に阻止される。よって、冷水が温水に向かう過程において、タンク内チャンバ２内の冷水と温水の境界が明確となり、結果としてタンクの温水出力が向上し、使用者のニーズをより良好に満たすことが可能となる。
【実施例３】
【００２３】
図５を参照すると、本図はその他の浸透濾過反射型の冷温水混合防止装置を備えるタンクを示す。当該タンクは、タンクケーシング１、タンク内チャンバ２、接続管３及び浸透濾過反射型の冷温水混合防止装置４ｃを含む。このうち、前記タンク内チャンバ２は横型である。即ち、当該タンクは横型のタンクである。ここで、本実施例３にかかる浸透濾過反射型の冷温水混合防止装置を備えるタンクは、タンクの様式と浸透濾過反射型の冷温水混合防止装置において実施例１及び／又は実施例２と異なるが、その他の構造は同様のため、同様の部分については繰り返し述べない。以下に、実施例１及び／又は実施例２との違いについて詳述する。
【００２４】
図６に示すように、具体的には、浸透濾過反射型の冷温水混合防止装置４ｃは、混合防止装置配管４１ｃ、リフレクタ４２ｃ、フィルタカバー４３ｃ、浸透濾過物４４ｃ及びフィルタ４８を含む。混合防止装置配管４１ｃの両端は開口している。混合防止装置配管４１ｃの一端は接続管３に接続され、フィルタカバー４３ｃは混合防止装置配管４１ｃの外壁に取り付けられている。リフレクタ４２ｃは下向きにフィルタカバー４３ｃに取り付けられており、浸透濾過物４４ｃはフィルタカバー４３ｃの上部に取り付けられるとともに、リフレクタ４２ｃ内に位置する。浸透濾過物４４ｃの上部とリフレクタ４２ｃの間には濾過空間４６ｃが形成されている。フィルタ４８は混合防止装置配管４１ｃの他端の配管口に取り付けられ、混合防止装置配管４１ｃの他端はフィルタ４８を介して当該濾過空間４６ｃと連通している。本実施例において、リフレクタ４２ｃの左右両端の長さは実際の必要性に応じて適宜延伸可能なため、冷温水混合防止効果の向上に有利である。
【００２５】
本実施例３にかかる浸透濾過反射型の冷温水混合防止装置４ｃの動作原理は次の通りである。
【００２６】
図６に示すように、冷水は矢印で示す方向に流動する。冷水は、まず接続管３を通って浸透濾過反射型の冷温水混合防止装置４ｃにおける混合防止装置配管４１ｃに進入する。続いて、混合防止装置配管４１ｃの他端にあるフィルタ４８からリフレクタ４２ｃ内の濾過空間４６ｃに進入した後、リフレクタ４２ｃに反射されて、浸透濾過物４４ｃと浸透濾過物４４ｃの底部に位置するフィルタカバー４３ｃを順に通過し、タンク内チャンバ２内部の底部に流れ落ちる。このとき、水の流れは均一に緩やかとなる。これによれば、水内部が乱されることなく、緩やかにタンク内チャンバ２内部の底部から上方へと平行移動するため、冷水と温水の混合が効果的に阻止される。よって、冷水が温水に向かう過程において、タンク内チャンバ２内の冷水と温水の境界が明確となり、結果としてタンクの温水出力が向上し、使用者のニーズをより良好に満たすことが可能となる。
【００２７】
上記の実施例は本発明の好ましい実施形態ではあるが、本発明の実施形態は上記実施例に制限されない。本発明の本質及び原理を逸脱することなく行われるその他の変形、補足、代替、組み合わせ、簡略化はいずれも等価の置き換えとみなされ、本発明の保護の範囲に含まれる。
【図１】
2017525930.tif 000003
【図２】
2017525930.tif 000004
【図３】
2017525930.tif 000005
【図４】
2017525930.tif 000006
【図５】
2017525930.tif 000007
【図６】
2017525930.tif 000008
【国際調査報告】
2017525930.tif 000009
2017525930.tif 000010
2017525930.tif 000011
2017525930.tif 000012